(57)【特許請求の範囲】
【請求項１】
第１面と第２面を有する第１基板と、
該第１基板に対して入力操作側に設けられ、第１面と第２面を有する第２基板と、
前記第１基板の第１面に形成された第１電極と、
前記第２基板の第１面に形成された第２電極と、を備えたタッチパネルであって、
前記第１基板の前記第１電極と前記第２基板の前記第２電極とが互いに対向して配置さ
れた抵抗膜型入力領域と、
前記第１基板の第１面において平面視で前記第２基板と重なる領域、および前記第２基
板の第１面のうちの少なくとも一方において、平面視で前記抵抗膜型入力領域と異なる領
域に形成された第３電極によって構成された静電容量型入力領域と、を備え、
前記静電容量型入力領域は、前記第３電極より入力操作側に配置された遮光層によって
遮光性入力領域として形成され、
前記第１基板および前記第２基板はいずれもガラス基板であって、前記第２基板は、前
記第１基板よりも厚さが薄いことを特徴とするタッチパネル。
【請求項２】
前記第３電極は、前記第１基板の第１面および前記第２基板の第１面のうちの一方に形
成されていることを特徴とする請求項１に記載のタッチパネル。
【請求項３】
前記第１基板の第１面および前記第２基板の第１面のうち、前記第３電極が形成されて
いる側の基板の第１面には、前記抵抗膜型入力領域および前記静電容量型入力領域から外
部へ信号出力を行なう配線部材が接続されていることを特徴とする請求項２に記載のタッ
チパネル。
【請求項４】
前記第１基板の第１面および前記第２基板の第１面のうち、前記第３電極が形成されて
いる側と反対側の基板の第１面には、前記抵抗膜型入力領域および前記静電容量型入力領
域から外部へ信号出力を行なう配線部材が接続され、
前記第１基板の第１面と前記第２基板の第１面との間には、前記静電容量型入力領域か
ら外部へ信号出力を行なうための基板間導通材が配置されていることを特徴とする請求項
２に記載のタッチパネル。
【請求項５】
前記配線部材は、前記第１基板の第１面に接続されていることを特徴とする請求項３ま
たは４に記載のタッチパネル。
【請求項６】
請求項１乃至５の何れか一項に記載のタッチパネルを備えた入力機能付き表示装置であ
って、
前記第１基板に対して前記第２基板側とは反対側に画像生成装置が重ねて配置されてい
ることを特徴とする入力機能付き表示装置。
【請求項７】
前記抵抗膜型入力領域は透光性入力領域として形成され、
前記画像生成装置は、前記透光性入力領域と重なる領域に画像表示領域を備えているこ
とを特徴とする請求項６に記載の入力機能付き表示装置。
【請求項８】
前記画像生成装置は、一対の基板と当該一対の基板の間に保持される電気光学物質とを
含み、前記第１基板が前記一対の基板のうち何れか一方の基板を兼ねることを特徴とする
請求項６または７に記載の入力機能付き表示装置。
【請求項９】
請求項６乃至８の何れか一項に記載の入力機能付き表示装置を備えていることを特徴と
する電子機器。
【発明の詳細な説明】
【技術分野】
【０００１】
本発明は、指などが接触した位置を検出可能な抵抗膜型入力領域を備えたタッチパネル
、該タッチパネルを備えた入力機能付き表示装置および電子機器に関するものである。
【背景技術】
【０００２】
携帯電話、カーナビゲーション、パーソナルコンピュータ、券売機、銀行の端末などの
電子機器では、近年、液晶装置などの表面に、タッチパネルと称せられる入力装置が配置
され、液晶装置の画像表示領域に表示された画像を参照しながら、情報の入力が行なえる
ものがある。
【０００３】
このようなタッチパネルのうち、抵抗膜型のタッチパネルでは、対向配置された第１基
板および第２基板において、第１基板および第２基板の互いに対向する面に第１電極およ
び第２電極が各々形成された構造になっており、第２基板が押下されたときに第１電極と
第２電極との接触位置を検出することにより、入力座標を検出する。また、タッチパネル
としては、一枚の基板に電極を形成しておき、指などが接触あるいは近接した際、電極に
結合する静電容量が変化することを検知して入力座標を検出する静電容量型もある。ここ
で、静電容量型のタッチパネルは、抵抗膜型のタッチと違って、非接触で入力できるので
、耐久性に優れているなどの長所を有する一方、指で入力せざるを得ず、ペン入力ができ
ないなどの欠点がある。
【０００４】
そこで、別々の製造した抵抗膜型のタッチパネルと静電容量型のタッチパネルを密着し
た状態に重ね、複数種類の押下状態を検出可能としたものも提案されている（特許文献１
参照）。
【０００５】
【特許文献１】特開平７−３３４３０８号公報
【発明の開示】
【発明が解決しようとする課題】
【０００６】
ここに、本願発明者は、指で画面をスクロールできる一方、ペン入力も可能であるなど
、様々な入力方式が可能で、各々の入力領域が平面的に配置されているタッチパネルを提
案するものである。
【０００７】
しかしながら、かかるタッチパネルを構成する際、特許文献１に記載の構成のように、
別々に製造した抵抗膜型のタッチパネルと静電容量型のタッチパネルとを平面的に重ねて
配置した構成では、それぞれのタッチパネルを別々に製造するためのコストが高くなると
ともに、厚さも厚くなってしまうという問題点がある。また、電気的な接続領域や各々の
領域を囲む額縁領域が占める面積が広くなってしまい、狭い入力領域しか確保できなくな
るなどの問題点がある。また、抵抗膜型のタッチパネルと静電容量型のタッチパネルとを
平面的に重ねて配置し、さらに表示装置を重ねて配置する場合、例えば、画面のスクロー
ルに使用する領域と、ペン入力をする領域とで表示装置の表示内容を異ならせることがで
きないので、入力を促す適切な表示がしにくいという問題点もある。
【０００８】
以上の問題点に鑑みて、本発明の課題は、複数の入力方式が可能で、かつ、広い入力領
域をもったタッチパネルを安価に提供可能な構成を提供することにある。
【０００９】
また、本発明の課題は、かかるタッチパネルを備えた入力機能付き表示装置、およびタ
ッチパネルを備えた電子機器を提供することにある。
【課題を解決するための手段】
【００１０】
上記課題を解決するために、本発明は、第１面と第２面を有する第１基板と、該第１基
板に対して入力操作側に設けられ、第１面と第２面を有する第２基板と、前記第１基板の
第１面に形成された第１電極と、前記第２基板の第１面に形成された第２電極と、を備え
たタッチパネルであって、前記第１基板の前記第１電極と前記第２基板の前記第２電極と
が互いに対向して配置された抵抗膜型入力領域と、前記第１基板の第１面において平面視
で前記第２基板と重なる領域、および前記第２基板の第１面のうちの少なくとも一方にお
いて、平面視で前記抵抗膜型入力領域と異なる領域に形成された第３電極によって構成さ
れた静電容量型入力領域と、を備え、前記静電容量型入力領域は、前記第３電極より入力
操作側に配置された遮光層によって遮光性入力領域として形成され、前記第１基板および
前記第２基板はいずれもガラス基板であって、前記第２基板は、前記第１基板よりも厚さ
が薄いことを特徴とする。
【００１１】
本発明では、１つのタッチパネルに抵抗膜型入力領域と静電容量型入力領域とが構成さ
れているため、静電容量型入力領域では、指で画面をスクロールする一方、抵抗膜型入力
領域でペン入力するなど、様々な入力方法で情報入力することができるので、使い勝手が
よい。また、平面視でずれた位置に抵抗膜型入力領域および静電容量型入力領域が配置さ
れているため、抵抗膜型入力領域および静電容量型入力領域の各々において最適な情報入
力を行なう構成を実現することができる。さらに、抵抗膜型入力領域を構成する第１電極
および第２電極が形成された第１基板および第２基板のうちの少なくとも一方の基板を利
用して静電容量型入力領域を構成するための第３電極を構成するので、別々に製造した抵
抗膜型のタッチパネルと静電容量型のタッチパネルとを平面的に配置した構成と違って、
低コストを図ることができる。また、電気的な接続領域や各々の領域を囲む額縁領域を共
通化できるので、広い入力領域を確保することができる。
【００１２】
本発明において、前記第３電極は、前記第１基板の第１面および前記第２基板の第１面
のうちの一方に形成されていることが好ましい。このように構成すると、第１電極あるい
は第２電極の形成工程を利用して、静電容量型入力領域を構成するのに必要な導電膜、例
えば、第３電極、第３電極の一部、あるいは静電容量型入力領域に対するシールド層を形
成することができ、生産性を向上することができる。
【００１３】
本発明において前記第１基板の第１面および前記第２基板の第１面のうち、前記第３電
極が形成されている側の基板の第１面には、前記抵抗膜型入力領域および前記静電容量型
入力領域から外部へ信号出力を行なう配線部材が接続されていることが好ましい。このよ
うに構成すると、フレキシブル基板などの配線部材を、第３電極が形成されている基板の
第１面のみに接続すればよい。
【００１４】
本発明において、前記第１基板の第１面および前記第２基板の第１面のうち、前記第３
電極が形成されている側と反対側の基板の第１面には、前記抵抗膜型入力領域および前記
静電容量型入力領域から外部へ信号出力を行なう配線部材が接続され、前記第１基板の第
１面と前記第２基板の第１面との間には、前記静電容量型入力領域から外部へ信号出力を
行なうための基板間導通材が配置されている構成を採用してもよい。このように構成する
と、フレキシブル基板などの配線部材を、第３電極が形成されている側とは反対側の基板
の第１面のみに接続すればよい。
【００１５】
本発明において、前記配線部材は、前記第１基板の第１面に接続されていることが好ま
しい。また、入力操作側に配置される第２基板は可撓性であることが求められるため、厚
さが薄いなどの面で配線部材の接続に適さないが、本発明では、かかる制約のない第１基
板に配線部材を接続するので、信頼性の高い接続部分を構成することができる。
【００１６】
本発明を適用したタッチパネルは、入力機能付き表示装置に用いることができ、この場
合、前記第１基板に対して前記第２基板側とは反対側に画像生成装置が重ねて配置される
。
【００１７】
本発明において、前記抵抗膜型入力領域は、透光性入力領域として形成され、前記画像
生成装置は、前記透光性入力領域と重なる領域に画像表示領域を備えていることが好まし
い。
【００１８】
本発明において、前記画像生成装置は、一対の基板と当該一対の基板の間に保持される
電気光学物質とを含み、前記第１基板が前記一対の基板のうち何れか一方の基板を兼ねる
ことを特徴とする。このように構成することによって、画像生成装置或いは、タッチパネ
ルの基板を削減することができるので、入力機能付き表示装置の厚さを薄くすることがで
きる。さらに、例えば、画面のスクロールに使用する領域と、ペン入力をする領域とを切
り分けることができるので、画像生成装置の表示内容をそれぞれの入力領域の機能に応じ
た適切な表示に切り替えることが可能であり、操作性の向上も可能である。
【００１９】
本発明を適用した入力機能付き表示装置は、携帯電話、カーナビゲーション、パーソナ
ルコンピュータ、券売機、銀行の端末などの電子機器に用いられる。
【発明を実施するための最良の形態】
【００２０】
図面を参照して、本発明の実施の形態を説明する。なお、以下の説明で参照する図にお
いては、各層や各部材を図面上で認識可能な程度の大きさとするため、各層や各部材毎に
縮尺を異ならしめてある。
【００２１】
［実施の形態１］
（全体構成）
図１および図２は各々、本発明を適用した入力機能付き表示装置の構成を模式的に示す
説明図である。なお、図２において、タッチパネルの各電極、および液晶装置の画素電極
や対向電極などについては数などを簡略化して示してある。
【００２２】
図１および図２において、本形態の入力機能付き表示装置１００は、概ね、画像生成装
置としての液晶装置５と、この液晶装置５において表示光を出射する側の面に重ねて配置
されたタッチパネル１（入力装置）とを有している。
【００２３】
液晶装置５は、透過型、反射型あるいは半透過反射型のアクティブマトリクス型の液晶
パネル５ａを備えている。本形態において、液晶パネル５ａは、透過型であるため、表示
光の出射側とは反対側にバックライト装置（図示せず）が配置される。また、液晶装置５
において、液晶パネル５ａに対して表示光の出射側には第１偏光板８１が重ねて配置され
、その反対側に第２偏光板８２が重ねて配置されている。
【００２４】
液晶パネル５ａは、表示光の出射側に配置された透光性の素子基板５０と、この素子基
板５０に対して対向配置された透光性の対向基板６０とを備えている。対向基板６０と素
子基板５０とは、枠状のシール材７１により貼り合わされており、対向基板６０と素子基
板５０との間においてシール材７１で囲まれた領域内に液晶層５５（電気光学物質層）が
保持されている。
【００２５】
素子基板５０において、対向基板６０と対向する面には複数の画素電極５８が形成され
、対向基板６０において、素子基板５０と対向する面には共通電極６８が形成されている
。なお、共通電極６８は素子基板５０の側に形成されることもある。また、対向基板６０
が表示光の出射側に配置されることもある。
【００２６】
素子基板５０において、対向基板６０の縁から張り出した張出領域５９には駆動用ＩＣ
７５がＣＯＧ実装されているとともに、張出領域５９にはフレキシブル基板７３が接続さ
れている。なお、素子基板５０には、素子基板５０上のスイッチング素子と同時に駆動回
路を形成することもある。
【００２７】
（タッチパネル１の詳細構成）
本形態のタッチパネル１において、その入力領域１００ａは、以下に説明する抵抗膜型
入力領域１０１と静電容量型入力領域１０２とを備えており、かかる抵抗膜型入力領域１
０１と静電容量型入力領域１０２とは平面視でずれた位置に配置されている。
【００２８】
本形態において、タッチパネル１は、ガラス板やプラスチック板などからなる透光性の第１基板１０と、ガラス板やプラスチック板などからなる透光性の第２基板２０とを備えており、本形態では、第１基板１０および第２基板２０のいずれにもガラス板が用いられている。ここで、第１基板１０と第２基板２０とは、第１面１１、２１同士が所定の隙間を介して対向するように、枠状のシール材３１によって貼り合わされている。第２基板２０は入力操作側に配置され、第１基板１０は液晶装置５の側に配置されている。このため、第２基板２０は、第２面２２を入力操作側に向けており、第１基板１０は、第２面１２を液晶装置５の側に向けている。このように構成したタッチパネル１では、抵抗膜型入力領域１０１で入力を行なう際、第２基板２０が撓む必要がある。従って、第２基板２０は、第１基板１０より厚さが薄く、可撓性を備えている。
【００２９】
第１基板１０の第１面１１において、第２基板２０の縁から張り出した張出領域１３に
はフレキシブル基板３３が接続されている。かかるフレキシブル基板３３は、抵抗膜型入
力領域１０１および静電容量型入力領域１０２から外部に信号を出力するための共通の配
線部材である。
【００３０】
シール材３１は、第２基板２０の外周縁に沿う外枠部分３１ａと、外枠部分３１ａにお
いて対向する２辺の中間付近で辺同士を接続する仕切り枠部分３１ｂとを備えており、シ
ール材３１で囲まれた領域の略全体が入力領域１００ａになっている。また、入力領域１
００ａは、仕切り枠部分３１ｂに対して一方側（フレキシブル基板３３が接続されている
側から遠い側）が抵抗膜型入力領域１０１になっている一方、他方側（フレキシブル基板
３３が接続されている側）が静電容量型入力領域１０２になっている。
【００３１】
タッチパネル１において、抵抗膜型入力領域１０１では、第１基板１０の第１面１１に
ＩＴＯ膜（Indium Tin Oxide）からなる透光性の第１電極１５が形成され、第２基板２０
の第１面２１にはＩＴＯ膜からなる透光性の第２電極２５が形成され、その内側は空気層
になっている。
【００３２】
第１基板１０の第１面１１には第１電極１５から張り出し領域１３に向けて配線パター
ン（図示せず）が形成されており、かかる配線パターンによって、第１電極１５からフレ
キシブル基板３３への信号出力が可能になっている。また、シール３１には、表面に金属
層が形成されたプラスチックビーズなどからなる基板間導通材３０が配合されており、基
板間導通材３０は、第１基板１０の第１面１１と第２基板２０の第１面２１との間に介在
して、第２基板２０の第１面２１に形成されている第２電極２５と、第１基板１０の第１
面１１に形成された配線パターン（図示せず）とを導電接続する。かかる基板間導通材３
０および配線パターンによって、第２電極２５からフレキシブル基板３３への信号出力が
可能になっている。
【００３３】
このように構成した抵抗膜入力領域１０１では、第２基板２０が押下されたときに押下
箇所で第１電極１５と第２電極２５とが接触するので、その接触位置を検出することによ
り、入力座標を検出する。従って、抵抗膜入力領域１０１では、指やペンなどで第２基板
２０の所定領域を押下することによって情報の入力を行なうことができる。
【００３４】
タッチパネル１において、静電容量型入力領域１０２では、第１基板１０の第１面１１
にＩＴＯ膜からなる透光性のシールド層１６、シリコン酸化膜などからなる透光性の絶縁
膜１７、およびＩＴＯ膜からなる透光性の第３電極１８、１９がこの順に形成されている
。ここで、シールド層１６は、外部ノイズの影響を防止する機能を担っている。
【００３５】
第３電極１８、１９は、例えば、互いに交差する方向に延在する複数列の電極パターン
からなり、図２には、第３電極１８、１９を区別せずに模式的に示してある。ここで、第
３電極１８、１９は、パッドと称せられる広い面積の部分を備えている構成、左右逆向き
の三角形状のパターンが交互に配置された構成などが採用される。いずれの場合も、第３
電極１８、１９から張り出し領域１３に向けて配線パターン（図示せず）が延びており、
かかる配線パターンによって、第３電極１８、１９からフレキシブル基板３３への信号出
力が可能になっている。
【００３６】
このように構成した静電容量型入力領域１０２では、複数の電極１８、１９に順次、電
圧印加して電荷を与えた際、いずれかの箇所に導電体である指が接触または近接すると、
電極１８、１９と、指との間で容量が形成され、電極１８、１９を介して検出される静電
容量が低下するので、いずれの箇所に指が接触または近接したかを検出することができる
。従って、静電容量型入力領域１０２では、非接触状態のままで指により情報の入力を行
なうことはできる。但し、静電容量型入力領域１０２では、絶縁材料からなるペンなどに
よる入力は不可能である。
【００３７】
このように構成したタッチパネル１に対して、入力操作側にはシート９１が重ねて配置
されており、このシート９１の内面（タッチパネル１と対向する面）には遮光層９２が枠
状に形成されている。ここで、遮光層９２は、静電容量型入力領域１０２と重なる領域に
形成されているが、抵抗膜入力領域１０１と重なる領域には形成されていないため、静電
容量型入力領域１０２は、遮光領域になっている一方、抵抗膜入力領域１０１は透光領域
になっている。また、液晶装置５の画像表示領域５ｂは、抵抗膜入力領域１０１に重なっ
ている。従って、本形態の入力機能付き表示装置１００では、抵抗膜入力領域１０１を介
して、液晶装置５で表示された画像を入力操作側からみることができる。これに対して、
静電容量型入力領域１０２において、シート９１の外面（入力操作側の面）にはカーソル
キー９５を表す図形などが印刷されている。なお、シート９１の外面には、必要に応じて
ハードコート層などが形成されている。また、シート９１を偏光板８１の機能を有するシ
ート９１とすれば、シート９１と第１偏光板８１とを兼ねることによって、第１偏光板８
１を省略することができ、タッチパネル１の厚さを薄くすることが可能となる。さらに、
偏光板８１の機能を有するのはシート９１に限らず、液晶パネル５ａに対して表示光の出
射側に配置される部材のいずれかに偏光板８１の機能を持たせても良い。
【００３８】
（本形態の主な効果）
以上説明したように、本形態では、１つのタッチパネル１に抵抗膜型入力領域１０１と
静電容量型入力領域１０２とが構成されているため、静電容量型入力領域１０２では、指
でカーソルキー９５を指示することにより、液晶装置５で表示された画面をスクロールす
る一方、抵抗膜型入力領域１０１では、液晶装置５で表示された選択ボタンをペン入力で
選択するなど、本形態のタッチパネル１によれば、様々な入力方法で情報入力することが
できるので、使い勝手がよい。
【００３９】
また、平面視でずれた位置に抵抗膜型入力領域１０１および静電容量型入力領域１０２
が配置されているため、液晶装置５で表示された画面を見ながら、静電容量型入力領域１
０２で画面をスクロールして抵抗膜型入力領域１０１でペン入力することができるなど、
抵抗膜型入力領域１０１および静電容量型入力領域１０２の各々において最適な情報入力
を行なう構成を実現することができる。
【００４０】
さらに、抵抗膜型入力領域１０１を構成する第１電極１５が形成された第１基板１０の
第１面１１を利用して、静電容量型入力領域１０２を構成するための第３電極１８、１９
を構成するので、別々に製造した抵抗膜型のタッチパネルと静電容量型のタッチパネルと
を平面的に配置した構成と違って、基板枚数を低減することができる。また、第１電極１
５の形成工程を利用して、シールド層１６、あるいは第３電極１８、１９を形成すること
ができるなど、製造工程数を削減できる。それ故、タッチパネル１の低コスト化を図るこ
とができる。
【００４１】
さらにまた、抵抗膜型入力領域１０１と静電容量型入力領域１０２とにおいて仕切り枠
部分３１ｂなどを共通化できるので、抵抗膜型入力領域１０１および静電容量型入力領域
１０２を各々、独立したシール材で囲んだ場合と比較して、広い入力領域を確保すること
ができる。同様に、基板間導通材３０によって第１基板１０と第２基板との導通を図って
いるため、共通のフレキシブル基板３３によって、抵抗膜型入力領域１０１および静電容
量型入力領域１０２から外部への信号出力を行なうことができる。それ故、抵抗膜型入力
領域１０１および静電容量型入力領域１０２の各々に対してフレキシブル基板の接続領域
を設ける必要がないので、その点でも、広い入力領域を確保するのに有利である。
【００４２】
また、フレキシブル基板３３は、第１基板１０の第１面１１に接続されており、かかる
第１基板１０は、第２基板２０に比して板厚が厚い。このため、本形態によれば、フレキ
シブル基板を第２基板２０に接続した場合と比較して、フレキシブル基板３３の接続部分
の信頼性が高い。
【００４３】
［実施の形態２］
実施の形態１では、静電容量型入力装置１０２を構成するための第３電極１８、１９が
第１基板１０に形成されていたが、図３を参照して以下に説明するように、本形態では、
第３電極１８、１９は、第２基板２０の第１面に形成されている。
【００４４】
図３は、本発明の実施の形態２に係る入力機能付き表示装置１００の断面構成を模式的
に示す説明図である。なお、本形態の基本的な構成は実施の形態１と同様であるため、共
通する部分には同一の符号を付して図示することにしてそれらの説明を省略する。
【００４５】
図３に示すように、本形態の入力機能付き表示装置１００も、実施の形態１と同様、液
晶装置５と、この液晶装置５において表示光を出射する側の面に重ねて配置されたタッチ
パネル１とを有している。また、タッチパネル１において、その入力領域１００ａは、以
下に説明する抵抗膜型入力領域１０１と静電容量型入力領域１０２とを備えており、かか
る抵抗膜型入力領域１０１と静電容量型入力領域１０２とは平面視でずれた位置に配置さ
れている。
【００４６】
本形態でも、実施の形態１と同様、タッチパネル１において、抵抗膜型入力領域１０１
では、第１基板１０の第１面１１にＩＴＯ膜からなる透光性の第１電極１５が形成され、
第２基板２０の第１面２１にはＩＴＯ膜からなる透光性の第２電極２５が形成され、その
内側は空気層になっている。第１基板１０の第１面１１には第１電極１５から張り出し領
域１３に向けて配線パターン（図示せず）が形成されており、かかる配線パターンによっ
て、第１電極１５からフレキシブル基板３３への信号出力が可能になっている。また、シ
ール３１に配合された基板間導通材３０は、第１基板１０の第１面１１と第２基板２０の
第１面２１との間に介在して、第２基板２０の第１面２１に形成されている第２電極２５
と、第１基板１０の第１面１１に形成された配線パターン（図示せず）とを導電接続させ
ており、かかる基板間導通材３０および配線パターンによって、第２電極２５からフレキ
シブル基板３３への信号出力が可能になっている。
【００４７】
本形態において、静電容量型入力領域１０２では、透光性の第３電極１８、１９が第２
基板２０の第１面２１に形成されている。但し、シール３１に配合された基板間導通材３
０は、第１基板１０の第１面１１と第２基板２０の第１面２１との間に介在して、第２基
板２０の第１面２１に形成されている第３電極１８、１９と、第１基板１０の第１面１１
に形成された配線パターン（図示せず）とを導電接続させており、かかる基板間導通材３
０および配線パターンによって、第３電極１８、１９からフレキシブル基板３３への信号
出力が可能になっている。
【００４８】
また、静電容量型入力領域１０２では、第１基板１０の第１面１１にＩＴＯ膜からなる
透光性のシールド層１６が形成されているため、外部ノイズの影響を防止することができ
る。
【００４９】
このように構成したタッチパネル１に対して、入力操作側にはシート９１が重ねて配置
されており、このシート９１の内面（タッチパネル１と対向する面）には遮光層９２が枠
状に形成されている。ここで、遮光層９２は、静電容量型入力領域１０２と重なる領域に
形成されているが、抵抗膜入力領域１０１と重なる領域には形成されていない。このため
、静電容量型入力領域１０２は、遮光領域になっている一方、抵抗膜入力領域１０１は透
光領域になっている。従って、本形態の入力機能付き表示装置１００では、抵抗膜入力領
域１０１を介して、液晶装置５で表示された画像を入力操作側からみることができ、静電
容量型入力領域１０２において、シート９１の外面（入力操作側の面）にはカーソルキー
９５を表す図形などが印刷されている。その他の構成は実施の形態１と略同様であるため
、説明を省略する。
【００５０】
このように構成した入力機能付き表示装置１００でも、実施の形態１と同様、平面視で
ずれた位置に抵抗膜型入力領域１０１および静電容量型入力領域１０２が配置されている
ため、使い勝手がよいなど、実施の形態１と同様な効果を奏する。
【００５１】
また、抵抗膜型入力領域１０１を構成する第２電極２５が形成された第２基板２０を利
用して、静電容量型入力領域１０２を構成するための第３電極１８、１９を構成するので
、別々に製造した抵抗膜型のタッチパネルと静電容量型のタッチパネルとを平面的に配置
した構成と違って、基板枚数を低減することができる。また、第２電極２５の形成工程を
利用して、第３電極１８、１９を形成することができるなど、製造工程数を削減できる。
それ故、タッチパネル１の低コスト化を図ることができるなど、実施の形態１と同様な効
果を奏する。
【００５２】
［本発明の参考例１］
実施の形態１、２では、静電容量型入力領域１０２は、遮光領域になっている一方、抵
抗膜入力領域１０１は透光領域になっており、抵抗膜入力領域１０１のみにおいて、液晶
装置５で表示された画像を入力操作側からみることができたが、図４を参照して以下に説
明するように、本形態では、静電容量型入力領域１０２および抵抗膜入力領域１０１の双
方が透光領域になっており、静電容量型入力領域１０２および抵抗膜入力領域１０１の双
方において、液晶装置５で表示された画像を入力操作側からみることができる。
【００５３】
図４は、本発明の参考例１に係る入力機能付き表示装置１００の断面構成を模式的に示
す説明図である。なお、本形態の基本的な構成は実施の形態１、２と同様であるため、共
通する部分には同一の符号を付して図示することにしてそれらの説明を省略する。
【００５４】
図４に示すように、本形態の入力機能付き表示装置１００も、実施の形態１、２と同様
、液晶装置５と、この液晶装置５において表示光を出射する側の面に重ねて配置されたタ
ッチパネル１とを有している。また、タッチパネル１において、その入力領域１００ａは
、以下に説明する抵抗膜型入力領域１０１と静電容量型入力領域１０２とを備えており、
かかる抵抗膜型入力領域１０１と静電容量型入力領域１０２とは平面視でずれた位置に配
置されている。
【００５５】
本形態でも、実施の形態１、２と同様、タッチパネル１において、抵抗膜型入力領域１
０１では、第１基板１０の第１面１１にＩＴＯ膜からなる透光性の第１電極１５が形成さ
れ、第２基板２０の第１面２１にはＩＴＯ膜からなる透光性の第２電極２５が形成され、
その内側は空気層になっている。また、シール３１に配合された基板間導通材３０は、第
１基板１０の第１面１１と第２基板２０の第１面２１との間に介在して、第２基板２０の
第１面２１に形成されている第２電極２５と、第１基板１０の第１面１１に形成された配
線パターン（図示せず）とを導電接続させており、かかる基板間導通材３０および配線パ
ターンによって、第２電極２５からフレキシブル基板３３への信号出力が可能になってい
る。
【００５６】
本形態において、静電容量型入力領域１０２では、実施の形態２と同様、透光性の第３
電極１８、１９が第２基板２０の第１面に形成されている。但し、シール３１に配合され
た基板間導通材３０は、第１基板１０の第１面１１と第２基板２０の第１面２１との間に
介在して、第２基板２０の第１面２１に形成されている第３電極１８、１９と、第１基板
１０の第１面１１に形成された配線パターン（図示せず）とを導電接続させており、かか
る基板間導通材３０および配線パターンによって、第３電極１８、１９からフレキシブル
基板３３への信号出力が可能になっている。また、静電容量型入力領域１０２では、第１
基板１０の第１面１１にＩＴＯ膜からなる透光性のシールド層１６が形成されている。
【００５７】
ここで、静電容量型入力領域１０２には、第１基板１０と第２基板２０との間にメタク
リレート系樹脂などといった絶縁性の高屈折率材料１４が充填されている。かかる高屈折
率材料１４は、例えば、シール材３１の途切れ部分から注入、充填された液状物、あるい
は液状物の状態で充填後、固化されたものであり、液状物を充填した後、シール材３１の
途切れ部分は封止される。
【００５８】
このように構成したタッチパネル１に対して、入力操作側にはシート９１が重ねて配置
されており、このシート９１の内面（タッチパネル１と対向する面）には遮光層９２が枠
状に形成されている。但し、本形態では、遮光層９２は概ね、シール材３１と重なる領域
のみに形成されており、額縁としてのみ機能している。
【００５９】
このため、遮光層９２は、静電容量型入力領域１０２および抵抗膜入力領域１０１と重
なる領域には形成されておらず、静電容量型入力領域１０２および抵抗膜入力領域１０１
の双方が透光領域になっている。また、液晶装置５は、静電容量型入力領域１０２および
抵抗膜入力領域１０１に重なる領域の全体が画像表示領域５ｂになっている。従って、本
形態の入力機能付き表示装置１００において、抵抗膜入力領域１０１では、液晶装置５で
表示された画像を入力操作側からみることができるとともに、静電容量型入力領域１０２
においても、液晶装置５で表示された画像を入力操作側からみることができる。また、遮
光層９２が静電容量型入力領域１０２および抵抗膜入力領域１０１の額縁として機能して
いるため、入力操作側から、タッチパネル１のシール材３１及び周囲に配置された配線パ
ターン（図示せず）等が視認されることを防止できる。さらに、遮光層９２によって画像
表示領域の表示内容を静電容量型入力領域１０２および抵抗膜入力領域１０１とを区分け
している。そのことによって、静電容量型入力領域１０２および抵抗膜入力領域１０１が
視覚的に切り分けられているので操作者が静電容量型入力領域１０２および抵抗膜入力領
域１０１とを別々の機能を有する領域として認識しやすく、操作性の向上に繋がる。その
他の構成は実施の形態１と略同様であるため、説明を省略する。
【００６０】
このように構成した入力機能付き表示装置１００でも、実施の形態１、２と同様、平面
視でずれた位置に抵抗膜型入力領域１０１および静電容量型入力領域１０２が配置されて
いるため、使い勝手がよいなど、実施の形態１、２と同様な効果を奏する。
【００６１】
また、実施の形態２と同様、抵抗膜型入力領域１０１を構成する第２電極２５が形成さ
れた第２基板２０を利用して、静電容量型入力領域１０２を構成するための第３電極１８
、１９を構成するので、別々に製造した抵抗膜型のタッチパネルと静電容量型のタッチパ
ネルとを平面的に配置した構成と違って、低コストを図ることができるなど、実施の形態
１、２と同様な効果を奏する。
【００６２】
さらに、静電容量型入力領域１０２および抵抗膜入力領域１０１の双方において、液晶
装置５で表示された画像を入力操作側からみることができるので、静電容量型入力領域１
０２および抵抗膜入力領域１０１のいずれにおいても、液晶装置５で表示された画像を入
力操作側からみながら情報の入力を行なうことができる。かかる場合でも、静電容量型入
力領域１０２には、第１基板１０と第２基板２０との間に絶縁性の高屈折率材料１４が充
填されているため、反射性の界面が存在しないので、明るい画像を表示することができる
。
【００６３】
［実施の形態３］
実施の形態１、２では、第１基板１０が第２基板２０より大きい構成であったが、図５
を参照して以下に説明するように、本形態では、第１基板１０が第２基板２０より小さい
。また、実施の形態１、２では、抵抗膜型入力領域１０１および静電容量型入力領域１０
２は各々が、シール材３１で囲まれていたが、図５を参照して以下に説明するように、本
形態において、抵抗膜型入力領域１０１はシール材３１で囲まれているが、静電容量型入
力領域１０２はシール材３１で囲まれていない。
【００６４】
図５は、本発明の実施の形態３に係る入力機能付き表示装置１００の断面構成を模式的
に示す説明図である。なお、本形態の基本的な構成は実施の形態１、２と同様であるため
、共通する部分には同一の符号を付して図示することにしてそれらの説明を省略する。
【００６５】
図５に示すように、本形態の入力機能付き表示装置１００も、実施の形態１、２と同様
、液晶装置５と、この液晶装置５において表示光を出射する側の面に重ねて配置されたタ
ッチパネル１とを有している。また、タッチパネル１において、その入力領域１００ａは
、以下に説明する抵抗膜型入力領域１０１と静電容量型入力領域１０２とを備えており、
かかる抵抗膜型入力領域１０１と静電容量型入力領域１０２とは平面視でずれた位置に配
置されている。
【００６６】
本形態において、第１基板１０は第２基板２０より小さいが、第１基板１０の第１面１
１の端部にフレキシブル基板３３が接続されている。このため、フレキシブル基板３３は
、第１基板１０の第１面１１において、第２基板２０と対向する位置に接続されている。
【００６７】
また、シール３１は、抵抗膜型入力領域１０１のみを囲むように形成され、静電容量型
入力領域１０２は、シール材３１で囲まれていない。
【００６８】
本形態でも、実施の形態１と同様、シール３１に配合された基板間導通材３０は、第１
基板１０の第１面１１と第２基板２０の第１面２１との間に介在して、第２基板２０の第
１面２１に形成されている第２電極２５と、第１基板１０の第１面１１に形成された配線
パターン（図示せず）とを導電接続させており、かかる基板間導通材３０および配線パタ
ーンによって、第２電極２５からフレキシブル基板３３への信号出力が可能になっている
。
【００６９】
本形態において、静電容量型入力領域１０２では、透光性の第３電極１８、１９が第２
基板２０の第１面に形成されている。但し、シール３１に配合された基板間導通材３０は
、第１基板１０の第１面１１と第２基板２０の第１面２１との間に介在して、第２基板２
０の第１面２１に形成されている第３電極１８、１９と、第１基板１０の第１面１１に形
成された配線パターン（図示せず）とを導電接続させており、かかる基板間導通材３０お
よび配線パターンによって、第３電極１８、１９からフレキシブル基板３３への信号出力
が可能になっている。
【００７０】
このように構成したタッチパネル１に対して、入力操作側にはシート９１が重ねて配置
されており、このシート９１の内面（タッチパネル１と対向する面）には遮光層９２が枠
状に形成されている。ここで、遮光層９２は、静電容量型入力領域１０２と重なる領域に
形成されているが、抵抗膜入力領域１０１と重なる領域には形成されていない。このため
、静電容量型入力領域１０２は、遮光領域になっている一方、抵抗膜入力領域１０１は透
光領域になっている。従って、本形態の入力機能付き表示装置１００では、抵抗膜入力領
域１０１を介して、液晶装置５で表示された画像を入力操作側からみることができ、静電
容量型入力領域１０２において、シート９１の外面（入力操作側の面）にはカーソルキー
９５を表す図形などが印刷されている。その他の構成は実施の形態１、２と略同様である
ため、説明を省略する。
【００７１】
このように構成した入力機能付き表示装置１００でも、実施の形態１、２と同様、平面
視でずれた位置に抵抗膜型入力領域１０１および静電容量型入力領域１０２が配置されて
いるため、使い勝手がよいなど、実施の形態１、２と同様な効果を奏する。
【００７２】
また、抵抗膜型入力領域１０１を構成する第２電極２５が形成された第２基板２０を利
用して静電容量型入力領域１０２を構成するための第３電極１８、１９を構成するので、
別々に製造した抵抗膜型のタッチパネルと静電容量型のタッチパネルとを平面的に配置し
た構成と違って、低コストを図ることができるなど、実施の形態１、２と同様な効果を奏
する。
【００７３】
［実施の形態４］
実施の形態１〜３では、抵抗膜型入力領域１０１および静電容量型入力領域１０２から
外部への信号出力を第１基板１０に接続されたフレキシブル基板３３を用いたが、図６を
参照して以下に説明するように、本形態では、抵抗膜型入力領域１０１の第１電極１５か
ら外部への信号出力を第１基板１０に接続されたフレキシブル基板３３を用い、抵抗膜型
入力領域１０１の第１電極１５、および静電容量型入力領域１０２から外部への信号出力
については第２基板２０に接続されたフレキシブル基板を用いている。
【００７４】
図６は、本発明の実施の形態４に係る入力機能付き表示装置１００の断面構成を模式的
に示す説明図である。なお、本形態の基本的な構成は実施の形態１〜３と同様であるため
、共通する部分には同一の符号を付して図示することにしてそれらの説明を省略する。
【００７５】
図６に示すように、本形態の入力機能付き表示装置１００も、実施の形態１、２と同様
、液晶装置５と、この液晶装置５において表示光を出射する側の面に重ねて配置されたタ
ッチパネル１とを有している。また、タッチパネル１において、その入力領域１００ａは
、以下に説明する抵抗膜型入力領域１０１と静電容量型入力領域１０２とを備えており、
かかる抵抗膜型入力領域１０１と静電容量型入力領域１０２とは平面視でずれた位置に配
置されている。
【００７６】
本形態において、シール３１は、抵抗膜型入力領域１０１のみを囲むように形成され、
静電容量型入力領域１０２は、シール材３１で囲まれていない。また、シール材３１には
基板間導通材が配合されていない。
【００７７】
また、第１基板１０は第２基板２０より小さいが、第１基板１０の第１面１１の端部に
フレキシブル基板３３が接続されている。さらに、本形態では、第２基板２０の第１面２
１の端部にもフレキシブル基板３４が接続されている。
【００７８】
このように構成したタッチパネル１において、本形態では、実施の形態１と同様、抵抗
膜型入力領域１０１では、第１基板１０の第１面１１にＩＴＯ膜からなる透光性の第１電
極１５が形成され、第２基板２０の第１面２１にはＩＴＯ膜からなる透光性の第２電極２
５が形成され、その内側は空気層になっている。第１基板１０の第１面１１には第１電極
１５から、フレキシブル基板３３の接続領域に向けて配線パターン（図示せず）が形成さ
れており、かかる配線パターンによって、第１電極１５からフレキシブル基板３３への信
号出力が可能になっている。
【００７９】
また、第２電極２５は、第２基板２０の第１面２１に形成されているが、第２基板２０の第１面２１には第２電極２５からフレキシブル基板３４の接続領域に向けて配線パターン（図示せず）が形成されており、かかる配線パターンおよびフレキシブル基板３４によって、第２電極２５から外部への信号出力が可能になっている。なお、シール３１に配合した基板間導通材３０によって、第２基板２０の第１面２１に形成されている第２電極２５と、第１基板１０の第１面１１に形成された配線パターン（図示せず）とを導電接続させて、第２電極２５からフレキシブル基板３３への信号出力を行なってもよい。
【００８０】
静電容量型入力領域１０２では、透光性の第３電極１８、１９が第２基板２０の第１面
２１に形成されている。但し、第２基板２０の第１面２１には第３電極１８、１９からフ
レキシブル基板３４の接続領域に向けて配線パターン（図示せず）が形成されており、か
かる配線パターンおよびフレキシブル基板３４によって、第３電極１８、１９から外部へ
の信号出力が可能になっている。その他の構成は実施の形態１、２と略同様であるため、
説明を省略する。
【００８１】
このように構成した入力機能付き表示装置１００でも、実施の形態１、２と同様、平面
視でずれた位置に抵抗膜型入力領域１０１および静電容量型入力領域１０２が配置されて
いるため、使い勝手がよいなど、実施の形態１、２と同様な効果を奏する。
【００８２】
また、抵抗膜型入力領域１０１を構成する第２電極２５が形成された第２基板２０を利
用して静電容量型入力領域１０２を構成するための第３電極１８、１９を構成するので、
別々に製造した抵抗膜型のタッチパネルと静電容量型のタッチパネルとを平面的に配置し
た構成と違って、低コストを図ることができるなど、実施の形態１、２と同様な効果を奏
する。
【００８３】
［実施の形態５］
図７は、本発明の実施の形態５に係る入力機能付き表示装置の断面構成を模式的に示す
説明図である。実施の形態１〜４では、タッチパネル１に対して、入力操作側にはシート
９１が重ねて配置したが、かかるシート９１をタッチパネル１に固定するにあたっては、
図７に示すように、タッチパネル１を囲む枠体９０の入力操作面側にシート９１を貼り付
けておき、シート９１とタッチパネル１とを接着剤９５で接着した構成を採用してもよい
。このように構成すると、タッチパネル１の平面形状にかかわらず、枠体９０の形状によ
って、角部分がＲ形状になっているなど、任意の形状の入力機能付き表示装置を実現する
ことができる。
【００８４】
また、図示を省略するが、図７に示すシート９１に対して第１偏光板８１を接着固定し
て、タッチパネル１の入力操作側に第１偏光板８１を配置してもよい。この場合、タッチ
パネル１と液晶装置５との間に配置されていた第１偏光板８１は省略される。
【００８５】
［本発明の参考例２］
図９は、本発明の参考例２に係る入力機能付き表示装置の断面構成を模式的に示す説明
図である。実施の形態１〜５では、タッチパネル１の第１基板１０と液晶パネル５の素子
基板５０とがそれぞれ個別に配置された構成であったが、図９に示すように、タッチパネ
ル１の第１基板１０と液晶パネル５の素子基板５０とを兼ねる構成を採用してもよい。こ
のように構成すると、入力機能付き表示装置１００の全体の厚さを薄くすることが可能と
なる。このような構成の場合、図示を省略するが、第１基板１０と液晶パネル５の素子基
板５０との間に配置されていた第１偏光板は、基材４０の表面或いは裏面に配置する。
【００８６】
また、シート９１を偏光板８１の機能を有するシート９１とすれば、シート９１と第１
偏光板８１とを兼ねることによって、第１偏光板８１を省略することができ、入力機能付
き表示装置１００の厚さをなお一層薄くすることが可能となる。その他の構成は実施の形
態３と略同様であるため、説明を省略する。
【００８７】
［その他の構成］
上記の実施の形態では、静電容量型入力領域１０２で画面のスクロール指示を行
ない、抵抗膜型入力領域１０１でペン入力を行なう構成であったが、抵抗膜型入力領域１
０１でカーソルなどの移動指示を行ない、静電容量型入力領域１０２で確定の入力を行な
う方式を採用してもよい。また、通常は抵抗膜型入力領域１０１を停止状態としておき、
静電容量型入力領域１０２によって、指先が接近したことを検知した際、それをトリガと
して、抵抗膜型入力領域１０１を稼動状態に移行させる構成を採用してもよい。
【００８８】
上記の実施の形態では、画像生成装置としての液晶装置５を用いたが、有機エレ
クトロルミネッセンス装置やプラズマ表示装置を画像生成装置として用いてもよい。
【００８９】
［電子機器への搭載例］
次に、上述した実施形態に係る入力機能付き表示装置１００を適用した電子機器につい
て説明する。図８（ａ）に、入力機能付き表示装置１００を備えたモバイル型のパーソナ
ルコンピュータの構成を示す。パーソナルコンピュータ２０００は、表示ユニットとして
の入力機能付き表示装置１００と本体部２０１０を備える。本体部２０１０には、電源ス
イッチ２００１及びキーボード２００２が設けられている。図８（ｂ）に、入力機能付き
表示装置１００を備えた携帯電話機の構成を示す。携帯電話機３０００は、複数の操作ボ
タン３００１及びスクロールボタン３００２、並びに表示ユニットとしての入力機能付き
表示装置１００を備える。スクロールボタン３００２を操作することによって、入力機能
付き表示装置１００に表示される画面がスクロールされる。図８（ｃ）に、入力機能付き
表示装置１００を適用した情報携帯端末（ＰＤＡ：Personal Digital Assistants）の構
成を示す。情報携帯端末４０００は、複数の操作ボタン４００１及び電源スイッチ４００
２、並びに表示ユニットとしての入力機能付き表示装置１００を備える。電源スイッチ４
００２を操作すると、住所録やスケジュール帳といった各種の情報が入力機能付き表示装
置１００に表示される。
【００９０】
なお、入力機能付き表示装置１００が適用される電子機器としては、図８に示すものの
他、デジタルスチルカメラ、液晶テレビ、ビューファインダ型、モニタ直視型のビデオテ
ープレコーダ、カーナビゲーション装置、ページャ、電子手帳、電卓、ワードプロセッサ
、ワークステーション、テレビ電話、ＰＯＳ端末、銀行端末などの電子機器などが挙げら
れる。そして、これらの各種電子機器の表示部として、前述した入力機能付き表示装置１
００が適用可能である。
【図面の簡単な説明】
【００９１】
【図１】本発明を適用した入力機能付き表示装置の構成を模式的に示す説明図。
【図２】本発明の実施の形態１に係る入力機能付き表示装置の断面構成を模式的に示す説明図。
【図３】本発明の実施の形態２に係る入力機能付き表示装置の断面構成を模式的に示す説明図。
【図４】本発明の参考例１に係る入力機能付き表示装置の断面構成を模式的に示す説明図。
【図５】本発明の実施の形態３に係る入力機能付き表示装置の断面構成を模式的に示す説明図。
【図６】本発明の実施の形態４に係る入力機能付き表示装置の断面構成を模式的に示す説明図。
【図７】本発明の実施の形態５に係る入力機能付き表示装置の断面構成を模式的に示す説明図。
【図８】本発明に係る入力機能付き表示装置を用いた電子機器の説明図。
【図９】本発明の参考例２に係る入力機能付き表示装置の断面構成を模式的に示す説明図。
【符号の説明】
【００９２】
１…タッチパネル、５…液晶装置、１０…第１基板、１１…第１基板の第１面、１５…
第１基板の第１電極、２０…第２基板、２１…第２基板の第１面、２５…第２基板の第２
電極、３０…基板間導通材、３１…シール材、１００…入力機能付き表示装置、１０１…
抵抗膜型入力領域、１０２…静電容量型入力領域。
【図１】
0004613979.tif 000002
【図２】
0004613979.tif 000003
【図３】
0004613979.tif 000004
【図４】
0004613979.tif 000005
【図５】
0004613979.tif 000006
【図６】
0004613979.tif 000007
【図７】
0004613979.tif 000008
【図８】
0004613979.tif 000009
【図９】
0004613979.tif 000010